(57)【要約】      （修正有）【課題】間仕切レールの取付及び取外時における作業性を向上し得る間仕切レール取付装置を提供する。【解決手段】間仕切レール取付装置１は、下向きに開口する凹溝１５の溝幅方向両側を区画する両側片１１，１１及びこれら両側片１１，１１のそれぞれの下端縁から互いに対向する方向に突出するように設けられた両係合片１２，１２を有し、取付部２１の上側に天井フレーム１０の両係合片１２，１２に係合する係合部２７を設け、間仕切レール３０の長手方向に沿って間隔を空けて天井フレーム１０に取り付けられる複数のレール取付部材２０を備えており、挿入溝１６を介して天井フレーム１０の凹溝内に挿入されてレール取付部材２０が上下方向に沿う軸廻りに回転された状態で天井フレーム10の両係合片１２，１２のそれぞれに引っ掛け保持される引掛部２８，２８を長手方向両端部に備えている。【選択図】図１
2014051846.tif 000002
【特許請求の範囲】
【請求項１】
下向きに開口する凹溝の溝幅方向両側を区画する両側片及びこれら両側片のそれぞれの下端縁から互いに対向する方向に突出するように設けられた両係合片を有し、これら両係合片間の挿入溝を露出させるように天井材が取り付けられ、互いに間隔を空けて略平行に配設される複数本の天井フレームと、建物内空間を区画するように配設される間仕切体の上端部を保持する間仕切レールが取り付けられる取付部を下側に設け、該取付部の上側に前記天井フレームの両係合片に係合する係合部を設け、前記間仕切レールの長手方向に沿って間隔を空けて前記天井フレームに取り付けられる複数のレール取付部材と、を備えており、
前記レール取付部材の係合部は、前記挿入溝の溝幅よりも幅狭の細長平板状体とされ、前記挿入溝を介して前記天井フレームの凹溝内に挿入されて前記レール取付部材が上下方向に沿う軸廻りに回転された状態で前記天井フレームの両係合片のそれぞれに引っ掛け保持される引掛部を長手方向両端部に備えていることを特徴とする間仕切レール取付装置。
【請求項２】
請求項１において、
前記複数のレール取付部材のうちの少なくとも一つのレール取付部材には、前記間仕切レールの上面側に設けられたレール引掛部が引っ掛けられる被引掛部が設けられていることを特徴とする間仕切レール取付装置。
【請求項３】
請求項１または２において、
前記レール取付部材の係合部の両側の引掛部は、前記レール取付部材が前記軸廻りに一方向に回転されて前記天井フレームの両係合片に引っ掛け保持された状態で前記一方向側への更なる回転を規制するように前記天井フレームの両側片のそれぞれの内壁に当接される構造とされていることを特徴とする間仕切レール取付装置。
【請求項４】
請求項１乃至３のいずれか１項において、
前記レール取付部材の取付部には、前記間仕切レールを取り付けるための止具の止具孔が該間仕切レールの幅方向に沿って間隔を空けて複数設けられており、
前記レール取付部材の係合部は、前記天井フレームの凹溝内に挿入されて前記レール取付部材が前記軸廻りに略４５度回転された状態で、両側の引掛部が前記天井フレームの両係合片に引っ掛け保持される構造とされていることを特徴とする間仕切レール取付装置。
【請求項５】
請求項１乃至４のいずれか１項において、
前記レール取付部材は、前記取付部に対する前記係合部の前記軸廻りの回転を規制し、該取付部に対して該係合部を上下動自在にガイドする規制ガイド部と、前記取付部の下方側から操作可能とされ、前記係合部に設けられたねじ部との互いのねじ作用によって前記係合部を前記取付部に対して上下動させるねじ部と、を更に備えていることを特徴とする間仕切レール取付装置。
【発明の詳細な説明】
【技術分野】
【０００１】
本発明は、建物内空間を区画するように配設される間仕切体の上端部を保持する間仕切レールを取り付ける間仕切レール取付装置に関する。
【背景技術】
【０００２】
従来より、天井側に間仕切レールを設け、該間仕切レールに上端部を保持させた複数の間仕切体によって建物内空間を区画可能とした間仕切装置（間仕切システム）が知られている。このような間仕切装置は、所望する区画態様に応じて間仕切レールを予め天井側に施工する構成とされており、間仕切レールを移設や新設したり、撤去したりする場合には、補強工事や、ねじ跡の補修等、大掛かりな工事が必要になるという問題があった。
例えば、下記特許文献１では、システム天井にパーティションを取り付けるために使用されるパーティション用取付金具が提案されている。この取付金具が取り付けられるシステム天井は、支持バーを所定間隔で縦横に格子状に連結配置してなる枠組み上に、天井板をそれぞれ載置した構成とされている。また、上記取付金具は、支持バーの開口部が交差して形成された十字状の孔部に対応した十字形状とされ、支持バーに支持される被支持部とパーティション取付用の取付部とを備えた構成とされている。
【先行技術文献】
【特許文献】
【０００３】
【特許文献１】特開２００６−１５２７３２号公報
【発明の概要】
【発明が解決しようとする課題】
【０００４】
しかしながら、上記特許文献１に記載された取付金具では、十字形状の被支持部を支持バーの十字状の孔部から支持バー内に挿入させ、所望する位置までスライドさせる必要があり、作業性の観点等から更なる改善が望まれる。また、この取付金具を支持バーから取り外す際にも、取り付けられた位置から支持バーの十字状の孔部までスライドさせる必要があった。そのため、例えば、取り外す必要がないパーティションや取付金具等がその前方側（十字状の孔部側）に存在するような場合には、これらを取り外す必要があり、面倒な作業となることも考えられる。また、十字状の孔部を形成するように支持バーを所定間隔で縦横に格子状に連結配置して枠組みする必要があり、天井側の構造が複雑化することも考えられる。
【０００５】
本発明は、上記実情に鑑みてなされたものであり、建物内空間を区画するように配設される間仕切体の上端部を保持する間仕切レールの取付及び取外に大掛かりな工事を必要とすることなく、該間仕切レールの取付及び取外時における作業性を向上し得る間仕切レール取付装置を提供することを目的としている。
【課題を解決するための手段】
【０００６】
上記目的を達成するために、本発明に係る間仕切レール取付装置は、下向きに開口する凹溝の溝幅方向両側を区画する両側片及びこれら両側片のそれぞれの下端縁から互いに対向する方向に突出するように設けられた両係合片を有し、これら両係合片間の挿入溝を露出させるように天井材が取り付けられ、互いに間隔を空けて略平行に配設される複数本の天井フレームと、建物内空間を区画するように配設される間仕切体の上端部を保持する間仕切レールが取り付けられる取付部を下側に設け、該取付部の上側に前記天井フレームの両係合片に係合する係合部を設け、前記間仕切レールの長手方向に沿って間隔を空けて前記天井フレームに取り付けられる複数のレール取付部材と、を備えており、前記レール取付部材の係合部は、前記挿入溝の溝幅よりも幅狭の細長平板状体とされ、前記挿入溝を介して前記天井フレームの凹溝内に挿入されて前記レール取付部材が上下方向に沿う軸廻りに回転された状態で前記天井フレームの両係合片のそれぞれに引っ掛け保持される引掛部を長手方向両端部に備えていることを特徴とする。
【０００７】
本発明においては、前記複数のレール取付部材のうちの少なくとも一つのレール取付部材に、前記間仕切レールの上面側に設けられたレール引掛部が引っ掛けられる被引掛部を設けるようにしてもよい。
また、本発明においては、前記レール取付部材の係合部の両側の引掛部を、前記レール取付部材が前記軸廻りに一方向に回転されて前記天井フレームの両係合片に引っ掛け保持された状態で前記一方向側への更なる回転を規制するように前記天井フレームの両側片のそれぞれの内壁に当接される構造としてもよい。
また、本発明においては、前記レール取付部材の取付部に、前記間仕切レールを取り付けるための止具の止具孔を該間仕切レールの幅方向に沿って間隔を空けて複数設け、前記レール取付部材の係合部を、前記天井フレームの凹溝内に挿入されて前記レール取付部材が前記軸廻りに略４５度回転された状態で、両側の引掛部が前記天井フレームの両係合片に引っ掛け保持される構造としてもよい。
また、本発明においては、前記レール取付部材を、前記取付部に対する前記係合部の前記軸廻りの回転を規制し、該取付部に対して該係合部を上下動自在にガイドする規制ガイド部と、前記取付部の下方側から操作可能とされ、前記係合部に設けられたねじ部との互いのねじ作用によって前記係合部を前記取付部に対して上下動させるねじ部と、を更に備えたものとしてもよい。
【発明の効果】
【０００８】
本発明に係る間仕切レール取付装置は、上述のような構成としたことで、建物内空間を区画するように配設される間仕切体の上端部を保持する間仕切レールの取付及び取外に大掛かりな工事を必要とすることなく、該間仕切レールの取付及び取外時における作業性を向上させることができる。
【図面の簡単な説明】
【０００９】
【図１】（ａ）は、本発明の一実施形態に係る間仕切レール取付装置の一例及び同間仕切レール取付装置を用いた間仕切レール取付構造の一例を模式的に示し、図６におけるＸ−Ｘ線矢視に対応させた一部破断概略縦断面図、（ｂ）、（ｃ）は、それぞれ（ａ）におけるＹ１−Ｙ１線矢視に対応させた一部を省略した一部破断概略平面図である。
【図２】（ａ）、（ｂ）は、それぞれ図１（ａ）に対応させた一部を省略した一部破断概略縦断面図である。
【図３】（ａ）、（ｂ）は、いずれも同間仕切レール取付装置が備えるレール取付部材の一例を模式的に示す概略斜視図、（ｃ）は、同間仕切レール取付装置を用いて取り付けられる間仕切レールの一例を模式的に示す概略斜視図である。
【図４】（ａ）、（ｃ）は、それぞれ図１（ａ）におけるＹ１−Ｙ１線矢視に対応させた一部を省略した一部破断概略平面図、（ｂ）は、同間仕切レール取付装置を用いた間仕切レールの取付手順の一例を模式的に示す一部を省略した一部破断概略側面図である。
【図５】（ａ）、（ｂ）は、いずれも同間仕切レール取付装置を用いた間仕切レール取付構造の他例を模式的に示し、それぞれ図４（ａ）、（ｃ）に対応させた一部を省略した一部破断概略平面図である。
【図６】同間仕切レール取付装置を用いた間仕切レール取付構造を模式的に示す一部省略概略斜視図である。
【図７】（ａ）は、同間仕切レール取付装置を用いて取り付けられる間仕切レールに保持される間仕切体の一例を模式的に示し、図６におけるＺ部に対応させた一部破断概略分解斜視図、（ｂ）、（ｃ）は、それぞれ図１（ａ）におけるＹ２−Ｙ２線矢視に対応させた一部を省略した一部破断概略平面図である。
【発明を実施するための形態】
【００１０】
以下に本発明の実施の形態について、図面に基づいて説明する。
図１〜図７は、本実施形態に係る間仕切レール取付装置の一例及びこれを用いた間仕切レール取付構造の一例を模式的に示す図である。
なお、一部の図では、他図に付している詳細な符号の一部を省略している。
また、以下の実施形態では、間仕切レール取付装置等を施工した状態を基準として、上下方向等の方向を原則的に説明する。
【００１１】
本実施形態に係る間仕切レール取付装置１は、図１及び図６に示すように、互いに間隔を空けて略平行に天井側に配設される複数本の天井フレーム１０と、これら天井フレーム１０に取り付けられる複数のレール取付部材２０と、を備えている。これら複数のレール取付部材２０に、建物内空間を区画するように配設される間仕切体４０，４０Ａ，４０Ｂの上端部を保持する間仕切レール３０が取り付けられる。このように、本実施形態に係る間仕切レール取付装置１は、当該間仕切レール取付装置１に取り付けられる間仕切レール３０とこの間仕切レール３０に上端部が保持される間仕切体４０，４０Ａ，４０Ｂとを備えた間仕切装置（間仕切システム）を構成する。
【００１２】
天井フレーム１０は、図６に示すように、建物内空間の互いに対向する壁面の対向方向に長尺に形成されており、図１（ａ）及び図２に示すように、下向きに開口する凹溝１５を長手方向の全長に亘って設けた構造とされている。
この天井フレーム１０は、凹溝１５の溝幅方向両側を区画する両側片１１，１１と、これら両側片１１，１１のそれぞれの下端縁から互いに対向する方向に突出するように設けられた両係合片１２，１２と、を有している。本実施形態では、これら両係合片１２，１２の突出方向先端部に、上方側に突出し、突出方向基端側に折り返されるように形成された折返片部を設けている。
【００１３】
また、本実施形態では、この天井フレーム１０を、互いに向き合う方向に開口した縦断面略コ字状（略Ｕ字状または略Ｃ字状）の二本のフレーム材と、これらを連結し、当該天井フレーム１０の固定対象３に固定される連結板材１４と、を備えた構成としている。
各フレーム材は、上記した側片１１，１１及び係合片１２，１２をそれぞれに有し、それぞれの側片１１，１１の上端縁から互いに対向する方向に突出するように設けられた上片１３，１３をそれぞれに有している。
連結板材１４は、帯板状とされており、この連結板材１４の下面側に、幅方向に間隔を空けて各フレーム材の上片１３，１３が固定され、天井フレーム１０が構成されている。このような構成により、天井フレーム１０の凹溝１５の上側を、各フレーム材の上片１３，１３及び連結板材１４によって区画している。なお、このように複数の部材によって天井フレーム１０を構成した態様に代えて、両側片１１，１１のそれぞれの上端縁を連結するように、固定対象３に固定される固定部等を一体的に設けて天井フレーム１０を構成するようにしてもよい。
【００１４】
この天井フレーム１０の固定対象３は、適宜の天井下地等としてもよい。例えば、長手方向を天井フレーム１０の長手方向に直交させ、互いに間隔を空けて略平行に配設された複数本のフレーム受け等としてもよい。また、これら複数本のフレーム受け等からなる固定対象３は、梁やコンクリートスラブ等の天井下地施工対象２に直接的に固定されたものとしてもよい。または、固定対象３は、このような天井下地施工対象２に一端が固定された吊木や吊ボルト等の吊部材の他端に固定されたものとしてもよい。
また、この固定対象３への天井フレーム１０の固定態様としては、適宜、ねじや釘等の止具や、接着剤、溶接等によって固定するようにしてもよい。その他、種々の固定対象３に対して天井フレーム１０を固定するようにしてもよい。また、これら天井フレーム１０の間に、他のフレーム材を更に配設するようにしてもよい。
【００１５】
また、天井フレーム１０は、図６に示すように、建物内空間の対向する壁面間の略全長に亘って配設するようにしてもよい。この場合、建物内空間の対向する壁面間の寸法に応じた長さ寸法の天井フレーム１０を配設するようにしてもよく、または、複数本の天井フレーム１０を長手方向に接続するように対向する壁面間に配設するようにしてもよい。
また、図６に示すように、複数本の天井フレーム１０を、互いに幅方向に略等間隔を空けて配設するようにしてもよい。
【００１６】
この天井フレーム１０には、天井材４が取り付けられる。
天井材４は、略矩形平板状とされており、図１（ａ）及び図２に示すように、天井フレーム１０の両係合片１２，１２間の挿入溝１６を露出させるように天井フレーム１０に取り付けられる。この天井材４の天井フレーム１０への取付態様としては、適宜、ねじや釘等の止具や、接着剤等によって取り付けるようにしてもよく、または、天井フレーム１０の適所に、天井材４に設けられた引掛片等が引っ掛けられ、天井材４を保持する被引掛部等を設けるようにしてもよい。
また、本実施形態では、隣り合う天井材４，４を、それぞれの側端面同士を対向させ、天井フレーム１０の各係合片１２，１２の下面側に配設した例を示している。また、これら天井材４，４を、対向する側端面間に挿入溝１６の溝幅と略同幅の隙間を設けるように配設した例を示している。なお、天井材４，４の配設態様としては、天井フレーム１０の両係合片１２，１２間の挿入溝１６を少なくとも露出させるように配設するようにすればよく、例えば、隣り合う天井材４，４を、それぞれの側端面を天井フレーム１０の各側片１１，１１に対向させて配設するような態様としてもよい。このような天井材４の配設態様としては、その他、種々の配設態様の採用が可能である。
【００１７】
上記のように天井フレーム１０及び天井材４を配設すれば、建物内空間の天井側には、床側に向けて開口する複数本の挿入溝１６が、一方の対向する壁面間方向に延び、かつ他方の対向する壁面間方向に略等間隔を空けて形成される。本実施形態では、このように構成されたシステム天井の挿入溝１６の所望する位置に、間仕切レール３０を取り付けるためのレール取付部材２０の取付を可能としている。
レール取付部材２０は、間仕切レール３０が取り付けられる取付部２１を下側に設け、この取付部２１の上側に天井フレーム１０の両係合片１２，１２に係合する係合部２７を設けた構造とされている。このレール取付部材２０は、間仕切レール３０の長手方向に沿って間隔を空けて天井フレーム１０に複数が取り付けられる。
【００１８】
レール取付部材２０の取付部２１は、その厚さ方向を上下方向に沿わせて配設される略矩形平板状とされている。本実施形態では、この取付部２１に、間仕切レール３０を取り付けるための止具５（図１（ａ）参照）の複数（図例では、４つ）の止具孔２２を、間仕切レール３０の幅方向に沿って間隔を空けて設けている。これら止具孔２２は、取付部２１を厚さ方向に貫通して形成されている。また、図例では、取付部２１を、間仕切レール３０の幅方向に沿う方向を長辺とした平面視略長方形状とし、短手方向の略中心（後記する被引掛部２３，２３を除いた部位の略中心）に、長手方向に略等間隔を空けて複数の止具孔２２を設けた例を示している。
また、本実施形態では、間仕切レール取付装置１は、図４及び図５に示すように、間仕切レール３０の長手方向に沿って間隔を空けて天井フレーム１０に取り付けられる二種類のレール取付部材２０，２０Ａを備えている。
【００１９】
一方のレール取付部材２０には、間仕切レール３０の上面側に設けられたレール引掛部３９（図４（ｂ）参照）が引っ掛けられる被引掛部２３が設けられている。本実施形態では、この被引掛部２３を、図１（ｂ）、（ｃ）及び図３（ａ）、（ｂ）に示すように、一方のレール取付部材２０の取付部２１に設けている。また、この被引掛部２３は、間仕切レール３０の長手方向に沿う方向に突出するように、取付部２１に一体的に設けられており、薄平板状とされている。また、図例では、取付部２１の長手方向両端部のそれぞれに被引掛部２３，２３を設けた例を示している。
また、これら被引掛部２３，２３の間の取付部２１は、被引掛部２３の上面よりも立ち上がるように形成されて被引掛部２３よりも厚さ寸法が厚く形成されている（図３（ａ）及び図４（ｂ）参照）。この立上部位に、間仕切レール３０のレール引掛部３９の先端部が当接される構成とされている。また、後記するようにレール取付部材２０が天井フレーム１０に取り付けられた状態では、被引掛部２３及び立上部位（並びに天井フレーム１０または天井材４）によって間仕切レール３０の長手方向に開口する係合凹所が形成される構成とされている。
【００２０】
なお、他方のレール取付部材２０Ａは、被引掛部を取付部２１に設けていない点で一方のレール取付部材２０とは異なるが、他の構成については、一方のレール取付部材２０と略同様である。そのため、以下では、略同様の構成については、一方のレール取付部材２０を例にとって原則的に説明する。
また、間仕切レール３０の長手方向に沿って間隔を空けて天井フレーム１０に取り付けられる複数のレール取付部材２０，２０Ａのうちの少なくとも一つのレール取付部材に被引掛部を設けるようにしてもよい。例えば、図例のように、一本の間仕切レール３０を、２個のレール取付部材２０，２０Ａを用いて取り付ける場合には、これらの両方に被引掛部を設けるようにしてもよい。また、３個以上のレール取付部材を用いて取り付ける場合には、これらのうちの少なくとも一つのレール取付部材に被引掛部を設けるようにしてもよい。
【００２１】
レール取付部材２０の係合部２７は、図１（ｂ）、図２（ａ）及び図３（ａ）に示すように、天井フレーム１０の挿入溝１６の溝幅よりも幅狭の細長平板状体とされている。図例では、この係合部２７の幅寸法を、挿入溝１６の溝幅よりも僅かに小さくした例を示している。また、この係合部２７は、厚さ方向を上下方向に沿わせて配設される薄平板状とされている。
また、この係合部２７は、その長手方向を挿入溝１６の長手方向に沿わせて挿入溝１６を介して天井フレーム１０の凹溝１５内に挿入される。また、係合部２７は、図１及び図２に示すように、凹溝１５内に挿入されて当該レール取付部材２０が上下方向に沿う軸廻りに回転された状態で天井フレーム１０の両係合片１２，１２のそれぞれに引っ掛け保持される引掛部２８，２８を長手方向両端部に備えている。
【００２２】
また、本実施形態では、この係合部２７の両側の引掛部２８，２８を、レール取付部材２０が軸廻りに一方向に回転されて天井フレーム１０の両係合片１２，１２に引っ掛け保持された状態で一方向側への更なる回転を規制するように天井フレーム１０の両側片１１，１１のそれぞれの内壁に当接される構造としている。つまり、係合部２７は、図１（ｂ）、（ｃ）に示すように、挿入溝１６を介して凹溝１５内に挿入され、レール取付部材２０を軸廻りに図示反時計廻りに回転させれば、両側の引掛部２８，２８の先端部が天井フレーム１０の両側片１１，１１のそれぞれの内壁に当接する構造とされている。
【００２３】
また、本実施形態では、係合部２７を、天井フレーム１０の凹溝１５内に挿入されて当該レール取付部材２０が軸廻りに略４５度回転された状態で、両側の引掛部２８，２８が天井フレーム１０の両係合片１２，１２に引っ掛け保持される構造としている。また、本実施形態では、レール取付部材２０は、係合部２７の平面視における略中心を軸として回転され、当該レール取付部材２０がこの軸廻りのいずれ側に略４５度回転された場合にも、両側の引掛部２８，２８の先端部が天井フレーム１０の両側片１１，１１のそれぞれの内壁に当接する構造とされている。つまりは、係合部２７の長さ寸法が、天井フレーム１０の両側片１１，１１の内壁間の寸法の略√２倍程度とされている。
このような構成により、係合部２７は、図１（ｂ）に示す状態から、レール取付部材２０を軸廻りに図示時計廻りに回転させた場合にも、両側の引掛部２８，２８の先端部が天井フレーム１０の両側片１１，１１のそれぞれの内壁に当接する構造とされている（図５（ａ）も参照）。
【００２４】
また、本実施形態では、係合部２７の両側の引掛部２８，２８の各先端部を、係合部２７の長手方向先側に向かうに従い幅狭となる尖頭状のテーパ形状とし、各先端部のテーパ面が両側片１１，１１のそれぞれの内壁に面接触的に当接される構造としている。このような構成とすることで、例えば、両側の引掛部２８，２８の先端角部が両側片１１，１１の内壁に当接する構造とした場合と比べて、当接面積を効率的に大きくすることができ、軸廻りの回転位置の位置決めが安定的になされる。
また、係合部２７は、平面視において、取付部２１の長手方向に対して、その長手方向を略４５度傾斜させるように取付部２１の上側に設けられている。
【００２５】
上記のような構成により、レール取付部材２０，２０Ａは、図４及び図５に示すように、天井フレーム１０の長手方向に間隔を空けて取り付けられる態様と、天井フレーム１０の幅方向に間隔を空けて複数本の天井フレーム１０，１０のそれぞれに取り付けられる態様と、のいずれにも対応可能とされている。
つまり、図１（ｃ）及び図４（ａ）に示すように、これらレール取付部材２０，２０Ａは、それぞれの取付部２１，２１の止具孔２２，２２の並設方向を天井フレーム１０の幅方向に沿わせ、天井フレーム１０の長手方向に間隔を空けて取り付け可能とされている。また、この取付態様では、一方のレール取付部材２０は、その被引掛部２３，２３の突出方向が天井フレーム１０の長手方向に沿う方向となるように取り付けられる。
一方、図５（ａ）に示すように、これらレール取付部材２０，２０Ａは、それぞれの取付部２１，２１の止具孔２２，２２の並設方向を天井フレーム１０の長手方向に沿わせ、天井フレーム１０の幅方向に間隔を空けて複数本の天井フレーム１０，１０のそれぞれに取り付け可能とされている。また、この取付態様では、一方のレール取付部材２０は、その被引掛部２３，２３の突出方向が天井フレーム１０の幅方向に沿う方向となるように取り付けられる。
【００２６】
また、本実施形態では、レール取付部材２０に、取付部２１に対する係合部２７の軸廻りの回転を規制し、取付部２１に対して係合部２７を上下動自在にガイドする規制ガイド部２５を設けている。また、レール取付部材２０に、取付部２１の下方側から操作可能とされ、係合部２７に設けられたねじ部２９との互いのねじ作用によって係合部２７を取付部２１に対して上下動させるねじ部２６を設けている。
規制ガイド部２５は、取付部２１に対して固定的に設けられ、図１（ｂ）、図２（ａ）及び図３（ａ）に示すように、取付部２１から上方に向けて突出するように設けられている。また、本実施形態では、規制ガイド部２５を、係合部２７を幅方向両側から挟むように規制する一対の壁状の規制ガイド部２５，２５としている。
【００２７】
本実施形態では、取付部２１の平面視における略中心（被引掛部２３，２３を除いた部位の略中心）に、上方に向けて突出するように上記軸と略同軸状の略柱状の基部２４を固定的に設けている。これら一対の規制ガイド部２５，２５は、この基部２４の外周に沿うように、かつ互いに対向するように設けられている。また、係合部２７は、基部２４の上側において上下動自在に配設されている。
また、これら一対の規制ガイド部２５，２５は、それぞれの厚さ方向を係合部２７の幅方向に沿わせて設けられ、それぞれの反対向面間の寸法が、挿入溝１６の溝幅寸法よりも小さくなるように設けられている。また、これら一対の規制ガイド部２５，２５及び基部２４の外郭形状及び寸法は、係合部２７が凹溝１５内に挿入された状態で、挿入溝１６内において軸廻りに回転可能なように適宜、設定されている。
また、係合部２７の長手方向略中央部における幅方向両側には、これら一対の規制ガイド部２５，２５をそれぞれに受け入れる切欠状の係合凹所２７ａ，２７ａが設けられている。
【００２８】
取付部２１の下方側から操作可能とされたねじ部２６は、本実施形態では、取付部２１及び基部２４を貫通し、基部２４から上方に突出するように設けられ、上記軸と略同軸状の雄ねじ部を有した雄ねじ部材（ボルト）とされている。この雄ねじ部材２６の操作部となる頭部は、取付部２１の下面側において露出するように配設されている。
係合部２７のねじ部２９は、この雄ねじ部材２６の雄ねじ部に嵌まり合う（螺合する）雌ねじ孔２９とされている。この雌ねじ孔２９は、係合部２７の平面視における略中心に設けられている。なお、基部２４の取付部２１からの突出寸法は、天井フレーム１０の係合片１２の上下寸法（本実施形態では、これに加えて天井材４の厚さ寸法）未満としてもよい。また、一対の規制ガイド部２５，２５及び雄ねじ部材２６の基部２４からの突出寸法は、レール取付部材２０を天井フレーム１０から取り外す際に、スムーズに取り外しが可能となるよう、適宜、設定するようにしてもよい。
【００２９】
上記のような構成により、図１（ａ）及び図２（ｂ）に示すように、係合部２７を凹溝１５内に挿入させ、両側の引掛部２８，２８を両係合片１２，１２に引っ掛け保持させた状態で、雄ねじ部材２６を操作すれば、取付部２１が係合部２７に対して上下動する。
つまり、雄ねじ部材２６を締め付け方向に操作すれば、係合部２７に対して取付部２１が上方に移動する。これにより、係合部２７の両側の引掛部２８，２８と取付部２１とによって、天井フレーム１０の両係合片１２，１２（及び本実施形態では、天井材４，４）を挟むように保持し、レール取付部材２０が天井フレーム１０に固定される。一方、雄ねじ部材２６を締め付け解除方向に操作すれば、係合部２７に対して取付部２１が下方に移動する。これにより、レール取付部材２０を軸廻りにスムーズに回転させることができ、レール取付部材２０の取り外しが可能となる。
また、雄ねじ部材２６を操作する際、係合部２７は、一対の規制ガイド部２５，２５によって軸廻りの回動が規制されているので、雄ねじ部材２６と共廻りするようなことがなく、その軸廻りの回転位置がずれるようなことが抑制される。
【００３０】
間仕切レール３０は、図１（ａ）に示すように、間仕切体４０，４０Ａ，４０Ｂの上端部を保持するガイド溝を長手方向に沿って設けた構造とされている。本実施形態では、間仕切レール３０は、それぞれに下向きに開口する複数のガイド溝を幅方向に並設した構造とされている。また、本実施形態では、間仕切レール３０は、それぞれにガイド溝を設けた複数本（図例では、４本）のレール部材３１を幅方向に連結した構成とされている。
各レール部材３１は、天壁部３２と、この天壁部３２の幅方向両側縁から垂れ下がるように設けられた両側壁部３４，３４と、を備え、これらによって下向きに開口した縦断面略コ字状（略Ｕ字状または略Ｃ字状）とされている。また、各レール部材３１は、両側壁部３４，３４のそれぞれの下端縁から互いに対向する方向に突出するように設けられた両下片３５，３５を備えている。
【００３１】
これらレール部材３１は、図３（ｃ）に示すように、複数の連結部材３６によって幅方向に連結されている。これら連結部材３６は、各レール部材３１の天壁部３２を貫通するねじ等の止具によって各レール部材３１の上面側に固定され、各レール部材３１を連結している。また、これら連結部材３６には、上方に向けて突出するように突出片が設けられており、該突出片の先端が天井材４に当接または近接対面される構成とされている。
【００３２】
また、本実施形態では、間仕切レール３０の上面側に、レール引掛部３９を有した引掛部材３７を設けている。
この引掛部材３７は、間仕切レール３０の長手方向の一端側に設けられている。また、この引掛部材３７は、各レール部材３１の天壁部３２を貫通するねじ等の止具によって各レール部材３１の上面側に固定される固定片３８を有しており、連結部材としても機能する。
レール引掛部３９は、固定片３８に連なるように設けられている。このレール引掛部３９は、図４（ｂ）に示すように、各レール部材３１の上面との間に、間仕切レール３０の長手方向に開口し、レール取付部材２０の被引掛部２３，２３を受け入れる受入凹所を形成するように設けられている。このレール引掛部３９を、天井フレーム１０に取り付けられた一方のレール取付部材２０の被引掛部２３，２３に引っ掛けることで、間仕切レール３０の一端側が一方のレール取付部材２０によって仮保持される。
【００３３】
また、間仕切レール３０には、図３（ｃ）に示すように、レール取付部材２０，２０Ａの各取付部２１，２１に設けられた止具孔２２，２２に応じたレール止具孔３３，３３が間仕切レール３０の長手方向に沿って間隔を空けて複数箇所に設けられている。
図例では、各レール部材３１の天壁部３２のそれぞれに、各天壁部３２を厚さ方向に貫通するレール止具孔３３を設けた例を示している。
このレール止具孔３３を間仕切レール３０の長手方向に沿って設ける間隔は、上記したように幅方向に略等間隔を空けて配設される複数本の天井フレーム１０間の間隔に応じた寸法としてもよい。なお、間仕切レール３０のレール引掛部３９の近傍に設けられたレール止具孔３３は、上記した一方のレール取付部材２０の被引掛部２３，２３に引っ掛けられて仮保持された状態で、この取付部２１の止具孔２２に整合するように設けられている。
【００３４】
上記構成とされた間仕切レール３０は、天井フレーム１０に取り付けられた複数のレール取付部材２０，２０Ａの各取付部２１，２１の止具孔２２，２２に、レール止具孔３３，３３を整合させ、ねじ等の止具５（図１（ａ）及び図４（ｂ）参照）によって取り付けられる。この際、図４（ｂ）に示すように、一方のレール取付部材２０の被引掛部２３，２３に、間仕切レール３０のレール引掛部３９を引っ掛けて仮保持させ、他方のレール取付部材２０Ａの取付部２１に対して間仕切レール３０を取り付けるようにしてもよい。そして、一方のレール取付部材２０の取付部２１に対して間仕切レール３０を取り付ける（本固定する）ようにしてもよい。
また、間仕切レール３０は、図４（ｂ）に示すように、その長手方向を天井フレーム１０の長手方向に沿わせて複数のレール取付部材２０，２０Ａを介して天井フレーム１０に取り付け可能とされている。
また、間仕切レール３０は、図５（ｂ）に示すように、幅方向に間隔を空けて設けられた複数本の天井フレーム１０，１０に、その長手方向を各天井フレーム１０，１０の幅方向に沿わせて複数のレール取付部材２０，２０Ａを介して取り付け可能とされている。
【００３５】
なお、図４（ｂ）及び図５（ｂ）では、単一の間仕切レール３０を２個のレール取付部材２０，２０Ａに取り付けた例を示しているが、３個以上のレール取付部材２０，２０Ａに取り付けるようにしてもよい。
また、図例では、間仕切レール３０の上面側に、単一のレール引掛部３９を設けた例を示しているが、被引掛部を設けたレール取付部材の個数等に応じて、間仕切レール３０の長手方向に間隔を空けて複数のレール引掛部３９を設けるようにしてもよい。
また、間仕切レール３０を構成するレール部材３１の本数は、図例の本数に限られず、複数本としてもよく、または、単一のレール部材３１からなるものとしてもよい。この場合は、レール取付部材２０の取付部２１を適宜、変形するようにしてもよい。
また、間仕切レール３０を、上記のように複数本のレール部材３１を連結した構造とした態様に代えて、一体的に形成したものとしてもよい。
【００３６】
また、この間仕切レール３０は、上記したように幅方向に略等間隔を空けて配設された複数本の天井フレーム１０に対して、所望する区画態様に応じて、複数本がレール取付部材２０，２０Ａを介して取り付けられる。図６では、詳細な説明は省略するが、建物内空間を複数の間仕切体４０，４０Ａ，４０Ｂによって４つの空間に区画するように間仕切レール３０を天井フレーム１０に対して取り付けた例を示している。これら間仕切レール３０は、区画態様に応じて、長手方向に接続するように配設されたり、コーナー部を形成するように長手方向端部同士を突き合わせるように配設されたりする。また、これら間仕切レール３０は、Ｔ字状部や交差状部を形成するように、いずれかの間仕切レール３０の幅方向側部に他の間仕切レール３０の長手方向端部を当接させるように配設される。なお、間仕切レール３０が下面側に配設されない天井フレーム１０の挿入溝１６（本実施形態では、天井材４，４の側端面同士の隙間）に、目地部材等の隙間遮蔽部材を配設するようにしてもよい。
【００３７】
これら間仕切レール３０に上端部が保持される間仕切体４０，４０Ａ，４０Ｂは、図６に示すように、床面から間仕切レール３０までの寸法に略至る上下寸法とされている。また、これら間仕切体４０，４０Ａ，４０Ｂは、それぞれの上端部に、間仕切レール３０に保持される上端部材４２，４７（図１（ａ）参照）を設けた構造とされている。これら間仕切体４０，４０Ａ，４０Ｂが、上記のように取り付けられた間仕切レール３０に保持され、建物内空間が区画される。
また、図６では、３種類の間仕切体４０，４０Ａ，４０Ｂを例示している。図例では、間仕切レール３０に対して容易には移動しないように上端側が固定的に保持される固定パネル４０及び固定収納４０Ａと、間仕切レール３０に対してスライド自在に上端側が保持される可動パネル４０Ｂと、を例示している。
【００３８】
固定パネル４０及び可動パネル４０Ｂは、略矩形平板状とされており、各板幅方向を間仕切レール３０の長手方向に沿わせて配設される。
固定収納４０Ａは、一方向に開口する略箱形状とされており、図例では、開口を開閉する両開き状の扉を設けた固定収納４０Ａを例示している。また、固定収納４０Ａの反開口側には、固定パネル４０と略同様の背板部が設けられており、固定収納４０Ａは、この背板部の板幅方向を間仕切レール３０の長手方向に沿わせて配設される。
【００３９】
固定パネル４０及び固定収納４０Ａの背板部には、図７（ａ）に示すように、上端部材４２の取付凹所４１が設けられている。この取付凹所４１は、固定パネル４０及び固定収納４０Ａの背板部の板幅方向両側の上端部のそれぞれに、上方及び板幅方向外方側に開口するように設けられている。
これら固定パネル４０及び固定収納４０Ａの背板部に設けられた上端部材４２は、間仕切レール３０に対する移動を抑制する上端移動抑制部材４２とされている。
この上端移動抑制部材４２は、取付凹所４１に収容され、固定パネル４０及び固定収納４０Ａの背板部に固定される連結固定部４３と、間仕切レール３０のガイド溝内に収容され、移動を抑制する移動抑制部４６と、を備えている。
【００４０】
連結固定部４３は、取付凹所４１に応じた形状とされ、ねじ等の止具によって固定パネル４０及び固定収納４０Ａの背板部に固定される。
移動抑制部４６は、連結固定部４３から上方に突出するように設けられた連結軸４４に固定的に設けられている。
この移動抑制部４６は、図１（ａ）及び図７（ｃ）に示すように、間仕切レール３０の両側壁部３４，３４及び両下片３５，３５に当接または近接されるブロック状体とされている。
【００４１】
また、移動抑制部４６は、図７（ｂ）、（ｃ）に示すように、間仕切レール３０の両下片３５，３５間の受入溝を介してガイド溝内に挿入されて当該上端移動抑制部材４２が上下方向に沿う連結軸４４廻りに回転された状態で両下片３５，３５のそれぞれに引っ掛け保持される引掛部４６ｃ，４６ｃを備えている。
上端移動抑制部材４２は、移動抑制部４６の両側の引掛部４６ｃ，４６ｃが間仕切レール３０の両下片３５，３５に引っ掛け保持された状態で、間仕切レール３０の長手方向に板幅方向を沿わせて配設される固定パネル４０及び固定収納４０Ａの背板部に連結固定部４３の取り付けが可能な構成とされている。
【００４２】
また、移動抑制部４６の両側の引掛部４６ｃ，４６ｃは、当該上端移動抑制部材４２が連結軸４４廻りに一方向に回転されて間仕切レール３０の両下片３５，３５に引っ掛け保持された状態で一方向側への更なる回転を規制するように間仕切レール３０の両側壁部３４，３４のそれぞれの内壁に当接される構造とされている。
図例では、移動抑制部４６を平面視して略平行四辺形状とし、その互いに平行な一方組の対辺４６ａ，４６ａ間の寸法を、図７（ｂ）に示すように、間仕切レール３０の両下片３５，３５間の受入溝の溝幅寸法よりも僅かに小さい寸法としている。また、互いに平行な他方組の対辺４６ｂ，４６ｂ間の寸法を、間仕切レール３０の両側壁部３４，３４の内壁間の寸法と略同寸法とし、この他方組の対辺４６ｂ，４６ｂのそれぞれに引掛部４６ｃ，４６ｃを設けた例を示している。また、この移動抑制部４６の平面視における略中心に位置するように、連結軸４４が設けられている。
【００４３】
上記のような構成により、上端移動抑制部材４２は、図７（ｂ）に示すように、移動抑制部４６の一方組の対辺４６ａ，４６ａを間仕切レール３０の長手方向に沿わせ、両下片３５，３５間の受入溝を介してガイド溝内に挿入可能とされている。また、移動抑制部４６をガイド溝内に挿入させ、連結軸４４廻りに当該上端移動抑制部材４２を一方向へ回転させることで、引掛部４６ｃ，４６ｃが両下片３５，３５に引っ掛け保持される。また、このように引っ掛け保持された状態では、他方組の対辺４６ｂ，４６ｂが間仕切レール３０の両側壁部３４，３４のそれぞれの内壁に当接される。また、この状態で、連結固定部４３を、固定パネル４０及び固定収納４０Ａの背板部に固定すれば、当該上端移動抑制部材４２の移動が抑制され、また、これに固定された固定パネル４０及び固定収納４０Ａの移動が抑制される。
【００４４】
また、上端移動抑制部材４２には、当該上端移動抑制部材４２を間仕切レール３０に対して固定する固定部４５が設けられている。この固定部４５は、当該上端移動抑制部材４２を間仕切レール３０に保持させた状態で操作可能とされている。図例では、この固定部４５を、上下方向に貫通する雌ねじ孔を設けたナット部材４５とし、連結軸４４に、このナット部材４５の雌ねじ孔に嵌まり合う（螺合する）雄ねじ部を設けた例を示している。
このような構成とすることで、当該上端移動抑制部材４２を間仕切レール３０に保持させた状態でナット部材４５を操作し、上方に移動させることで、当該ナット部材４５と移動抑制部４２の両側の引掛部４６ｃ，４６ｃとによって、間仕切レール３０の両下片３５，３５を挟むように保持することができ、当該上端移動抑制部材４２を間仕切レール３０に対して固定することができる。
【００４５】
上記のような上端移動抑制部材４２を、固定パネル４０及び固定収納４０Ａの上端部に設けた構成とすることで、上端移動抑制部材４２を、間仕切レール３０の所望する位置に容易に取り付けることができる。また、上端移動抑制部材４２を、間仕切レール３０から容易に取り外すこともできる。これにより、固定パネル４０及び固定収納４０Ａを間仕切レール３０の所望する位置に容易に配設したり、移設したり、撤去したりすることができる。
なお、上端移動抑制部材４２の移動抑制部４６を、連結固定部４３に対して上下動自在に設けるようにしてもよい。これによれば、床側等に不陸等があるような場合にも、固定パネル４０及び固定収納４０Ａの下端を床に当接させることができる。このような態様に代えて、または加えて、固定パネル４０及び固定収納４０Ａの下端に、固定パネル４０及び固定収納４０Ａに対して上下動自在に設けられ、床に対して当接されるアジャスター等を設けるようにしてもよい。
また、固定パネル４０及び固定収納４０Ａの上端部に設けられる上端部材としては、このような上端移動抑制部材４２に限られず、種々の態様とされた上端部材を採用するようにしてもよい。
【００４６】
可動パネル４０Ｂには、図１（ａ）に示すように、上記同様の取付凹所４１が設けられている。
また、この可動パネル４０Ｂに設けられた上端部材４７は、間仕切レール３０の長手方向に沿ってガイドされる上端ガイド部材４７とされている。
この上端ガイド部材４７は、上記同様の連結固定部４８と、この連結固定部４８から上方に突出するように設けられた連結軸に設けられたガイド部４９と、を備えている。
ガイド部４９は、間仕切レール３０のガイド溝内で転動するローラーを備えた構成とされている。図例では、水平軸廻りに回転するローラーを両側に備えたガイド部４９を例示している。このガイド部４９の両ローラーが間仕切レール３０の両下片３５，３５上を転動し、間仕切レール３０の長手方向に沿ってガイドされ、可動パネル４０Ｂが間仕切レール３０に対してスライド自在とされている。
このような可動パネル４０Ｂは、図６に示すように、上記のように区画された空間同士を連通させる出入口を開閉する引戸として配設するようにしてもよい。
【００４７】
なお、この上端ガイド部材４７を、間仕切レール３０に保持させる際には、間仕切レール３０をレール取付部材２０，２０Ａに取り付ける前等に、間仕切レール３０のガイド溝にガイド部４９を収容させて保持させておくようにしてもよい。
また、可動パネル４０Ｂは、上端ガイド部材４７を介して間仕切レール３０に上吊り支持される上吊り構造とされたものとしてもよく、または、可動パネル４０Ｂの下端に床上を走行するキャスター等の転動部を設けた下荷重構造としてもよい。また、下荷重構造とした場合には、上端ガイド部材４７のガイド部４９を、連結固定部４８に対して上下動自在に設けるようにしてもよい。
また、可動パネル４０Ｂの上端部に設けられる上端部材としては、このような上端ガイド部材４７に限られず、種々の態様とされた上端部材を採用するようにしてもよい。
【００４８】
本実施形態に係る間仕切レール取付装置１は、上述のような構成としたことで、建物内空間を区画するように配設される間仕切体４０，４０Ａ，４０Ｂの上端部４２，４２，４７を保持する間仕切レール３０の取付及び取外に大掛かりな工事を必要とすることなく、間仕切レール３０の取付及び取外時における作業性を向上させることができる。
つまり、間仕切レール３０の長手方向に沿って間隔を空けて天井フレーム１０に取り付けられる複数のレール取付部材２０，２０Ａの係合部２７，２７を、挿入溝１６の溝幅よりも幅狭の細長平板状体としている。また、これらレール取付部材２０，２０Ａの係合部２７，２７を、挿入溝１６を介して天井フレーム１０の凹溝１５内に挿入し、レール取付部材２０，２０Ａが上下方向に沿う軸廻りに回転された状態で天井フレーム１０の両係合片１２，１２のそれぞれに引っ掛け保持される引掛部２８，２８を長手方向両端部に備えた構造としている。従って、天井フレーム１０の長手方向の所望する位置において、レール取付部材２０，２０Ａの係合部２７，２７を挿入溝１６に挿入させることができ、これら複数のレール取付部材２０，２０Ａを天井フレーム１０の所望する位置に容易に取り付けることができる。また、これらレール取付部材２０，２０Ａを天井フレーム１０から取り外す際にも、レール取付部材２０，２０Ａを移動させるような必要がなく、容易に取り外すことができる。これにより、比較的に高所での作業となる間仕切レール３０の取付及び取外時における作業性を向上させることができる。また、天井フレーム１０を格子状に枠組みするように配設する必要性を低減させることができる。
【００４９】
また、このように、天井フレーム１０に対して容易に取り付けられ、容易に取り外されるレール取付部材２０，２０Ａの取付部２１，２１に間仕切レール３０を取り付けることができる。従って、間仕切レール３０を、補強工事等の大掛かりな工事を必要とすることなく、また、ねじ等の止具跡を天井材４，４に残すようなことなく、移設や新設、撤去等することができる。これにより、間仕切レール３０に上端部４２，４２，４７が保持される間仕切体４０，４０Ａ，４０Ｂの移設や新設、撤去等も容易に行え、建物内空間の区画態様の変更を容易に行うことができる。
【００５０】
また、本実施形態では、間仕切レール３０の上面側に設けられたレール引掛部３９が引っ掛けられる被引掛部２３を少なくとも一つのレール取付部材２０に設けている。従って、この被引掛部２３が設けられたレール取付部材２０の被引掛部２３に、間仕切レール３０のレール引掛部３９を引っ掛けて仮保持させることができ、比較的に長尺な間仕切レール３０をより容易に取り付けることができる。また、間仕切レール３０を取り外す際にも、レール取付部材２０の被引掛部２３によって間仕切レール３０を仮保持させることができ、間仕切レール３０をより容易に取り外すことができる。
【００５１】
また、本実施形態では、レール取付部材２０の係合部２７の両側の引掛部２８，２８を、一方向側への更なるレール取付部材２０の軸廻りの回転を規制するように天井フレーム１０の両側片１１，１１のそれぞれの内壁に当接する構造としている。従って、レール取付部材２０の係合部２７を、天井フレーム１０の挿入溝１６に挿入させ、軸廻りに一方向に回転させて両側の引掛部２８，２８を天井フレーム１０の両側片１１，１１のそれぞれの内壁に当接させることで、レール取付部材２０の天井フレーム１０に対する軸廻りの回転位置の位置決めを容易に行うことができる。また、このように位置決めされた状態で、間仕切レール３０の長手方向に沿って間隔を空けた部位を、対応するレール取付部材２０，２０Ａのそれぞれの取付部２１，２１に取り付けることで、これら複数のレール取付部材２０，２０Ａの天井フレーム１０に対する幅方向への移動が規制される。これにより、これらレール取付部材２０，２０Ａ及びこれらに取り付けられた間仕切レール３０を天井フレーム１０に対して安定的に取り付けることができる。
【００５２】
また、本実施形態では、レール取付部材２０の取付部２１に、間仕切レール３０を取り付けるための止具５の止具孔２２を間仕切レール３０の幅方向に沿って間隔を空けて複数設けている。従って、これら止具孔２２を用いて間仕切レール３０をレール取付部材２０の取付部２１に容易かつ強固に取り付けることができる。
また、レール取付部材２０の係合部２７を、天井フレーム１０の凹溝１５内に挿入し、レール取付部材２０を軸廻りに略４５度回転させた状態で、両側の引掛部２８，２８が天井フレーム１０の両係合片１２，１２に引っ掛け保持される構造としている。従って、上記のように間仕切レール３０をレール取付部材２０の取付部２１に容易かつ強固に取り付けることが可能でありながらも、間仕切レール３０の長手方向を天井フレーム１０の長手方向に沿わせて取り付ける態様と間仕切レール３０の長手方向を天井フレーム１０の長手方向に直交させて取り付ける態様とのいずれにも共通のレール取付部材２０によって対応することができる。つまり、上述のように、間仕切レール３０の長手方向を天井フレーム１０の長手方向に沿わせて取り付ける場合には、レール取付部材２０の取付部２１の複数の止具孔２２を、間仕切レール３０及び天井フレーム１０の幅方向に間隔を空けて配置することができる。一方、間仕切レール３０の長手方向を天井フレーム１０の長手方向に直交させて取り付ける場合には、レール取付部材２０の取付部２１の複数の止具孔２２を、間仕切レール３０の幅方向及び天井フレーム１０の長手方向に間隔を空けて配置することができる。
【００５３】
また、本実施形態のように、レール取付部材２０の取付部２１に被引掛部２３を設けた場合にも、上記した間仕切レール３０のいずれの取付態様にも共通のレール取付部材２０によって対応することができる。つまり、間仕切レール３０をいずれの取付態様とした場合にも、被引掛部２３を間仕切レール３０のレール引掛部３９を引っ掛け可能な向きに向かせることができる。
また、本実施形態では、レール取付部材２０を、軸廻りのいずれ側に略４５度回転させた場合にも、両側の引掛部２８，２８の先端部が天井フレーム１０の両側片１１，１１のそれぞれの内壁に当接する構造としている。従って、間仕切レール３０を、上記したいずれの取付態様とした場合にも、レール取付部材２０の天井フレーム１０に対する軸廻りの回転位置の位置決めを容易に行うことができる。
【００５４】
また、本実施形態では、レール取付部材２０に、規制ガイド部２５と係合部２７に設けられたねじ部２９に嵌まり合うねじ部２６とを設けている。従って、上記したように、係合部２７と取付部２１とによって天井フレーム１０の両係合片１２，１２（本実施形態では、さらに天井材４，４）を上下から挟むように保持することができる。これにより、レール取付部材２０を天井フレーム１０に対してより強固に取り付けることができる。また、取付部２１の下方側からねじ部２６の操作が可能であるので、レール取付部材２０を取り付ける際及び取り外す際における作業性を向上させることができる。
【００５５】
なお、本実施形態では、係合部２７のねじ部２９を雌ねじ孔とし、取付部２１の下方側から操作可能とされたねじ部２６を雄ねじ部材とした例を示しているが、このような態様に限られない。例えば、係合部２７に、下向きに突出するようにねじ部２９としての雄ねじ部を設け、この雄ねじ部に嵌まり合う雌ねじ孔を設けたナット部材を取付部２１の下方側に露出するように設けたような態様としてもよい。
また、このような係合部２７のねじ部２９や取付部２１の下方側から操作可能とされたねじ部２６、規制ガイド部２５をレール取付部材２０に設けないようにしてもよい。
【００５６】
また、本実施形態では、間仕切レール３０の長手方向を天井フレーム１０の長手方向に沿わせて取り付ける態様と間仕切レール３０の長手方向を天井フレーム１０の長手方向に直交させて取り付ける態様とのいずれにも共通のレール取付部材２０によって対応可能とした例を示しているが、このような態様に限られない。間仕切レール３０の長手方向を天井フレーム１０の長手方向に沿わせて取り付けるレール取付部材と、間仕切レール３０の長手方向を天井フレーム１０の長手方向に直交させて取り付けるレール取付部材と、を異ならせたものとしてもよい。
また、本実施形態では、レール取付部材２０の取付部２１に、間仕切レール３０を取り付けるための止具５の止具孔２２を間仕切レール３０の幅方向に沿って間隔を空けて複数設けた例を示しているが、単一の止具孔を設けるようにしてもよい。また、レール取付部材２０の取付部２１に対する間仕切レール３０の取付態様としては、このように止具５によって取り付ける態様に代えて、その他、種々の取付態様を採用するようにしてもよい。
【００５７】
また、本実施形態では、レール取付部材２０の係合部２７の両側の引掛部２８，２８を、一方向側への更なるレール取付部材２０の軸廻りの回転を規制するように天井フレーム１０の両側片１１，１１のそれぞれの内壁に当接する構造とした例を示しているが、このような態様に限られない。例えば、レール取付部材２０の係合部２７の両側の引掛部２８，２８が天井フレーム１０に引っ掛け保持された状態で、天井フレーム１０の両側片１１，１１のそれぞれの内壁に当接しない態様としてもよい。
また、本実施形態では、間仕切レール３０の上面側に設けられたレール引掛部３９が引っ掛けられる被引掛部２３を少なくとも一つのレール取付部材２０に設けた例を示しているが、このような被引掛部２３及びレール引掛部３９を、レール取付部材２０及び間仕切レール３０に設けないようにしてもよい。
【００５８】
また、本実施形態では、間仕切レール３０のガイド溝を、下向きに開口するガイド溝とした例を示しているが、横向きや上向きに開口するガイド溝としてもよい。この場合は、間仕切体４０，４０Ａ，４０Ｂの上端部に設けられる上端部材を適宜、変形するようにすればよい。
また、当該間仕切レール取付装置１によって取り付けられた間仕切レール３０に上端部が保持される間仕切体としては、上記した固定パネル４０、固定収納４０Ａ及び可動パネル４０Ｂに限られず、種々の態様とされた間仕切体の採用が可能である。例えば、固定収納に代えて、または加えて、可動収納を設けるようにしてもよい。
【符号の説明】
【００５９】
１            間仕切レール取付装置
１０          天井フレーム
１１          側片
１２          係合片
１５          凹溝
１６          挿入溝
２０，２０Ａ  レール取付部材
２１          取付部
２２          止具孔
２３          被引掛部
２５          規制ガイド部
２６          雄ねじ部材（ねじ部）
２７          係合部
２８          引掛部
２９          雌ねじ孔（ねじ部）
３０          間仕切レール
３９          レール引掛部
４０          固定パネル（間仕切体）
４０Ａ        固定収納（間仕切体）
４０Ｂ        可動パネル（間仕切体）
４２          上端移動抑制部材（上端部）
４７          上端ガイド部材（上端部）
４            天井材
５            止具
【図１】
2014051846.tif 000003
【図２】
2014051846.tif 000004
【図３】
2014051846.tif 000005
【図４】
2014051846.tif 000006
【図５】
2014051846.tif 000007
【図６】
2014051846.tif 000008
【図７】
2014051846.tif 000009